(57)【特許請求の範囲】
【請求項１】
（ａ）フィブリン糊をアプロチニン溶液で溶解してフィブリノーゲンを含む溶液を調製する段階と、
（ｂ）凍結乾燥したトロンビンを軟骨細胞培養に使用される培地であるＤＭＥＭ培地に塩化カルシウムを補強した安定化溶液で溶解してトロンビンを含む溶液を調製する段階と、（ｃ）濃縮されたコラーゲン３％溶液と、前記トロンビンを含む溶液を混合してコラーゲンとトロンビンを含む溶液を調製し、軟骨細胞を混合する段階と、及び
（ｄ）欠損した軟骨組織に、前記（ａ）フィブリノーゲンを含む溶液と、前記（ｃ）のコラーゲンとトロンビンを含む溶液をデュアルシリンジキットにより混合して３分以内にゲル化させて最終適用する軟骨組織修復用組成物からなる固形物を製作する前に、デュアルシリンジキットの一側には前記（ａ）のフィブリノーゲンを含む溶液を、そして、他側には前記（ｃ）のコラーゲンとトロンビンを含む溶液を充填する段階と、
からなり、
前記濃縮されたコラーゲン溶液は、無菌的にコラーゲンを準備するように、５mg/mL以下のコラーゲンを０．２２μmフィルターを利用して滅菌処理して、無菌操作を通じてコラーゲンを濃縮した溶液であり、
前記コラーゲンの濃縮度は、５〜１００mg/mL濃度であり、
前記フィブリノーゲンは、３５〜５５mg/mL、アプロチニン溶液は、１，５００KIU/mL、トロンビンは２９．４１IU/mL、安定化溶液は０．６５mg/mL、コラーゲン溶液は１３．２３mg/mLが含まれ、
前記安定化溶液の塩化カルシウムの濃度は、最終適用時に０．１〜０．５mg/m
Lであり、
前記軟骨組織修復用組成物に使用される塩化カルシウムの最終濃度は、２．７８〜３．１２mg/mLである、
ことを特徴とする軟骨組織修復用組成物の製造方法。
【請求項２】
前記安定化溶液には塩化カルシウム０．２６mg/mLが含まれることを特徴とする請求項１に記載の軟骨組織修復用組成物の製造方法。
【請求項３】
前記ＤＭＥＭ培地は塩成分、アミノ酸、ビタミンが含まれることを特徴とする請求項１
に記載の軟骨組織修復用組成物の製造方法。
【発明の詳細な説明】
【技術分野】
【０００１】
本発明は、軟骨組織修復用組成物及びその製造方法に関するものであり、より詳細には、生体適合物質であるコラーゲンとフィブリンなどを混合して、欠損した軟骨組織に移植可能な形態で組織修復をはかって、再生を効果的に誘導することで、人間や動物に手術に伴う負担を軽減しながらより早くて効果的に軟骨修復及び再生を誘導できるようにしたものである。この発明により製品の品質と信頼性を大幅に向上させて、患者が満足することができるようにしたものである。
【背景技術】
【０００２】
周知のように、関節軟骨は、骨端に付いている極度に滑らかであり、明るい光を帯びる物質であり、その機能は、関節の運動時に摩擦及び摩耗抵抗を最小化して維持するものである。関節軟骨が損傷すれば、摩擦が増加して次第に摩耗とびらん(erosion)を示して、
臨床的に痛症と機能障害を起こして、時間が経つにつれて関節に生じた関節軟骨損傷は、次第に骨性関節炎に進行する。
【０００３】
関節軟骨損傷の原因としては、転倒や直接打撃または回転力のような外傷と、関節炎、骨壊死(Osteonecrosis)、炎症性関節炎(inflammatory arthritis)または離断性骨軟骨炎(Osteochondritis dissecans)などの疾病があり、症状では痛症、むくみと引掛り感(catching)などがある。関節軟骨損傷を治療するために過去数十年間に関節軟骨とその生理学的な再生能力に対して数多くの研究がなされて来たし、多くの治療方法が試みられた。
【０００４】
しかし、今まで報告された研究結果によると、関節軟骨は、損傷後再生しないために関節軟骨欠損の治療は、薬物や物理治療などを利用した大衆的な治療に焦点が合わせられて来た。今まで実施された関節軟骨欠損の治療をよく見れば、大きく非手術的療法と手術的療法に分けることができるが、先ず、非手術的療法として、冷温あんぽうと非ステロイド系の抗炎症剤（ＮＳＡＩＤ）などの薬物服用、ステロイドの関節内注射などの方法がある。これらは、主に症状の緩和を目的としているが、病気の軽減に効果を与えることはできなかった。
【０００５】
手術的療法としては、病巣清掃術（debridement）、ピックで穿孔する方法（microfracture）、ドリリング/掻爬関節形成術（drilling/abrasion arthroplasty）、自家骨軟骨
移植術（autologous osteochondroal transplantation）のような修復術（reparative pr
ocedure）と軟骨細胞移植術と軟骨関節置換術が実施されている。最近になって手術的療
法として生体適合物質を軟骨の欠損部位に適用しようとする試みが複数ある。生体適合物質とは、人間の身体中に入れても拒絶反応が起きない物質である。このような生体適合物質は、損傷した組織及び臓器を正常な組織で取り替えるか、または再生させようとする積極的な試みに用いられているし、これによって体内に移植可能な物質に対する関心が高くなっている。
【０００６】
人間の身体は、異物が入れば拒絶反応を現わす。このために器官の一部を他の物質で置き替えることは大変難しい。生体適合物質は、身体との親和性を高めて外科医学の進歩に大きな貢献をして来た。
【０００７】
今まで診断または治療のために体内に挿入されて使用する医療機器の製作に利用されている生体適合物質は、大きく人工材料と天然材料に区分することができる。人工材料は、金属や無機物、セラミックス、合成高分子などがあって、これらが体内に挿入されて周りの組織と接触する時に、たとえ、異物反応を起こさないとしても、それは、それ自体が生命力を持っていることができないためであると言える。天然材料は、フィブリン、コラーゲン、ヒアルロン酸、キトサンなど多くの物質が研究開発されて製品化されている。
【０００８】
人体の構造を形成して、生命機能を維持する物質は、大部分の場合、細胞と生物学的に生成された高分子形態で存在する。多糖類やタンパク質は、その代表的な物質であり、これらは人体内に存在する物質であるために、仮に、人工的にこれらを使用する時に免疫による拒絶反応さえなければ最も天然状態に近い形態を付与することは勿論、成長機能まで備えた人体組織の再生を期待することができる。
【０００９】
したがって、天然組織を医療用生体材料として使って、無機物や合成高分子などには欠けている生物学的機能を提供することで、人体内に挿入された無生物の生体材料と周りの組織との間に生体適合性を有するように環境を提供するか、または、さらに延いては、天然組織のような生体組織の役割ができるようにするものである。
【００１０】
特に、フィブリンは、天然材料の接着剤/血止め薬として応用されて産業化されている
し、生体適合性及び生分解性を有する。フィブリンは、数週間内に一般的に傷治癒過程で吸収されて、炎症反応、免疫反応、組織壊死、あるいは線維肥大症などの副作用がないものとして知られている。また、フィブリンは、線維芽細胞のための天然足場材などの形態で傷治療に重要な役割を担当する。フィブリン製品は、１９７０年代に概念が定立されて、１９８２年ヨーロッパで最初の製品が商業化されて現在まで使用されている。最近、多くの研究でフィブリンは生体組織工学的足場材として立証されているし、整形外科、歯科、神経外科など多様な分野で最適化のための努力がされている。
【００１１】
コラーゲンは構造タンパク質成分であるが、真皮(dermis)、膝蓋腱/靭帯(tendon/ligament)、血管など軟組織、そして骨、軟骨のような硬組織を構成して、哺乳類の場合、全体タンパク質の１/３程度を占めている。コラーゲンの形態は、２０種以上が知られている
し、肌や膝蓋腱/靭帯、骨などを構成するコラーゲンｔｙｐｅＩがコラーゲンのうちで９
０％程度を占めている。
【００１２】
コラーゲンの構造は、３本で構成された分子量(molecular weight)３００，０００ダルトン(Dalton)(一本１００，０００Dalton程度)のタンパク質であり、アミノ酸のうちで一番小さな単位(分子量が一番小さい)であるグリシン（Glycine）が繰り返し的に(-ＧＸＹ-：Glycineは続いて繰り返し的に、Ｘ、Ｙは異なる構成)連結されている。よって、グリシン（Glycine）がコラーゲンを構成するアミノ酸で１/３を占めている。そして、特異的にコラーゲンにヒドロキシプロリン（Hydroxyproline）というアミノ酸がおよそ１０％含ま
れていて、このアミノ酸をコラーゲン定量分析方法に活用している。
【００１３】
コラーゲンを医療用として現在使っている分野は、血止め薬、創傷被覆剤、人工血管、しわ改善用などに使用されているし、血止め薬の場合には１９７４年、子牛の皮（calf skin）から抽出したコラーゲン粉末形態である微線維性コラーゲン止血剤であるアビチン
（Avitene）という製品が最初に開発されて現在までも使用されている。
【００１４】
コラーゲンを原料として使用する方法は、大きく３種に区分することができるが、純粋なコラーゲンを分離して製品化する方法、組織自体の非細胞化/脱細胞化工程(acellular/decellular process)を通じて加工する方法、そして、コラーゲンの特性を変化させて作
る方法などを挙げることができる。
【００１５】
作る方法によって特長点があり得るが、純粋なコラーゲンで作る製品の場合には、物性(引張強度、tensile strength)が弱くて、縫合する手術に使用するのに少し困難があるが、製品の安全性と純度においては、優秀な製品であると言える。コラーゲンは、他の高分子より引張強度や裂かれの強度が弱いために、他の物質(ＧＡＧや生体適合性合成高分子(biocompatible synthetic polymer、ＰＧＡ/ＰＬＡなど)のように混合する製品もある。
【００１６】
このような、コラーゲンは、低い抗原性/高い生体適合性及び生体吸水性/細胞の付着、成長及び分化誘導/血液凝固/血止め効果/他の高分子との適合性などの長所を持っている
。しかし、物性特性及び嵩を維持する特性が不足し、純粋なコラーゲンは価格が高いという短所がある。
【００１７】
これに、フィブリン糊が持っている嵩/弾性/粘着性の適切な物性とそれ自体が持っている血止め効果を通じて軟骨修復及び再生に卓越な効果を発揮することができる生体適合物質である。
【００１８】
また、関節軟骨は、無血管性、無神経性組織であり、他の間葉系統の組織とは異なり非常に制限された自家治療能力を持っている。よって、軟骨細胞培養に使用される培地構成成分を含ませて、軟骨組織再生に使用される栄養分が供給される環境を造成することに目的がある。
【００１９】
一方、前記のような関節の軟骨組織は、一度損傷されれば、正常には生体内で再生されないものとして知られている。関節軟骨が損傷した場合、ひどい痛症と共に日常活動に制限を受けるようになって、慢性化された場合、致命的な退行性関節炎を誘発するようになって、正常な生活が難しくなる。アメリカでは、毎年５００，０００件以上の関節形成術及び全体関節代替術が行われているし、大略的にヨーロッパでも似ている手術件数が実行されていると報告されている。
【００２０】
したがって、軟骨欠損のための簡単な手術方法が要求されているし、コラーゲンとフィブリン糊など生体適合物質を活用/移植することができる新しい方法が必要である。この
ような軟骨欠損治療方法は、関節損傷の初期段階で一番有用であり、この段階で遂行されることで、人工関節手術を要する患者らの数を減少させることができる。このような予防的な治療方法によって、骨関節炎が発生する患者数がまた減少するものと考えられる。
【００２１】
しかし、従来は前記したコラーゲンとフィブリン糊などの生体適合物を活用して軟骨組織に移植する組成物及び容易に適用することができる方法がないということが大きな問題点として指摘された。そこで、これまでに、本出願人は、宿主から分離されて増殖又は分化された軟骨細胞成分と、トロンビン及びフィブリノーゲンを含むフィブリノゲンマトリックスとの混合物からなる損傷した軟骨治療剤組成物に係わる発明（特表2007-513730号公報）や、コラーゲン、ヒアルロン酸、及びフィブリンを含有する基質の混合物からなる注射可能な損傷した軟骨治療剤に係わる発明（特表2009-501605号公報）を特許出願した。
【発明の開示】
【発明が解決しようとする課題】
【００２２】
本発明は、前記のような従来技術の諸般の問題点を解消するために案出したものであり、フィブリノーゲンを溶解したアプロチニン溶液、トロンビンを溶解した安定化溶液、そしてコラーゲン溶液によって軟骨組織修復用組成物が具備されることを第１目的にしたものである。
【００２３】
本発明の第２目的は、前記した技術的構成によって生体適合物質であるコラーゲンとフィブリンなどを混合して欠損した軟骨組織に移植可能な形態で組織修復をはかって再生を効果的に誘導することで、人間や動物に手術に伴う負担を軽減しながら、より早くて効果的に軟骨修復及び再生を誘導できるようにしたものである。
【００２４】
第３目的は、軟骨欠損を簡単な手術で可能にさせたものである。
【００２５】
第４目的は、軟骨欠損治療が初期に可能であるので、関節手術を要する患者らの数を減少させることができるようにしたものである。
【００２６】
第５目的は、前記した予防的な治療方法によって骨関節炎が発生する患者数が減少する効果を提供するようにしたことである。
【００２７】
第６目的は、これらにより製品の品質と信頼性を大幅に向上させて患者が満足することができるようにした軟骨組織修復用組成物及びその製造方法を提供する。
【課題を解決するための手段】
【００２８】
このような目的達成のために、本発明は、（ａ）フィブリン糊をアプロチニン溶液で溶解してフィブリノーゲンを含む溶液を調製する段階と、
（ｂ）凍結乾燥したトロンビンを軟骨細胞培養に使用される培地であるＤＭＥＭ培地に塩化カルシウムを補強した安定化溶液で溶解してトロンビンを含む溶液を調製する段階と、（ｃ）濃縮されたコラーゲン３％溶液と、前記トロンビンを含む溶液を混合してコラーゲンとトロンビンを含む溶液を調製し、軟骨細胞を混合する段階と、及び
（ｄ）欠損した軟骨組織に、前記（ａ）フィブリノーゲンを含む溶液と、前記（ｃ）のコラーゲンとトロンビンを含む溶液をデュアルシリンジキットにより混合して３分以内にゲル化させて最終適用する軟骨組織修復用組成物からなる固形物を製作する前に、デュアルシリンジキットの一側には前記（ａ）のフィブリノーゲンを含む溶液を、そして、他側には前記（ｃ）のコラーゲンとトロンビンを含む溶液を充填する段階と、
からなり、
前記濃縮されたコラーゲン溶液は、無菌的にコラーゲンを準備するように、５mg/mL以下のコラーゲンを０．２２μmフィルターを利用して滅菌処理して、無菌操作を通じてコラーゲンを濃縮した溶液であり、
前記コラーゲンの濃縮度は、５〜１００mg/mL濃度であり、
前記フィブリノーゲンは、３５〜５５mg/mL、アプロチニン溶液は、１，５００KIU/mL、トロンビンは２９．４１IU/mL、安定化溶液は０．６５mg/mL、コラーゲン溶液は１３．２３mg/mLが含まれ、
前記安定化溶液の塩化カルシウムの濃度は、最終適用時に０．１〜０．５mg/m
Lであり、
前記軟骨組織修復用組成物に使用される塩化カルシウムの最終濃度は、２．７８〜３．１２mg/mLである、
ことを特徴とする軟骨組織修復用組成物の製造方法を提供する。
【００２９】
また、本発明は、前記した各段階の方法を経て最終軟骨組織修復用組成物を提供する。
【発明の効果】
【００３０】
前記で詳しく説明したように、本発明は、フィブリノーゲンを溶解したアプロチニン溶液、トロンビンを溶解した安定化溶液、そして、コラーゲン溶液によって軟骨組織修復用組成物が具備されるようにしたものである。
【００３１】
本発明は、前記した技術的構成によって生体適合物質であるコラーゲンとフィブリンなどを混合して、欠損した軟骨組織に移植可能な形態で組織修復をはかって再生を効果的に誘導することで、人間や動物に手術に伴う負担を軽減しながら、より早くて効果的に軟骨
修復及び再生を誘導できるようにしたものである。
【００３２】
そして、本発明は、軟骨欠損を簡単な手術で可能にさせたものである。併せて、本発明は、軟骨欠損治療が初期に可能であるので、関節手術を要する患者らの数を減少させることができるようにしたものである。さらに、本発明は、前記した予防的な治療方法によって骨関節炎が発生する患者数が減少する効果を提供するようになる。
【００３３】
本発明は、前記した効果によって、製品の品質と信頼性を大幅に向上させて、患者が満足することができるようにした非常に有用な発明である。
【図面の簡単な説明】
【００３４】
【図１】図１は、本発明に適用された軟骨組織修復用組成物の製造方法を示した構成図である。
【図２】図２は、本発明に適用された軟骨組織修復用組成物をデュアルシリンジキットに適用して使用する図面代用写真である。
【図３】図３は、本発明に適用された軟骨組織修復用組成物を動物(豚)の軟骨欠損部位に適用した図面代用写真である。
【図４】図４は、本発明に適用された軟骨組織修復用組成物を動物(兎) の軟骨欠損部位に適用した実験の肉眼観察結果の図面代用写真である。
【図５】図５は、本発明に適用された軟骨組織修復用組成物を動物(兎) の軟骨欠損部位に適用した実験の組織病理観察結果の図面代用写真である。
【図６】図６は、実施例で製作された固形物（本発明技術）とフィブリン糊製品（従来技術）の図面代用写真である。
【図７】図７は、実施例で製作された組成物内で軟骨細胞の生存率確認実験の結果を示す図面代用顕微鏡写真である。
【発明を実施するための形態】
【００３５】
以下では、このような効果達成のための本発明の望ましい実施例を添付された図面によって詳しく説明する。
【００３６】
本発明に適用された軟骨組織修復用組成物及びその製造方法は、図１乃至図５に示されたように構成されるものである。
【００３７】
下記で本発明を説明する際に関連する公知機能または構成に対する具体的な説明が本発明の要旨を却って曖昧にする惧れがあると判断される場合には、その詳細な説明は略するであろう。
【００３８】
そして、後述する用語は、本発明での機能を考慮して設定された用語であって、これは生産者の意図または慣例によって変わることがあるので、本明細書の全般に亘る内容に基づいて定義されるべきである。
【００３９】
先ず、本発明は、生体適合物質であるコラーゲンとフィブリノーゲンを利用した固形物を利用するものであり、軟骨再生の環境を造成するための栄養成分である安定化溶液を適用する製造及び使用方法を提供するものであり、以下の各段階を経て軟骨組織修復用組成物を製造する。
【００４０】
すなわち、(a)凍結乾燥したフィブリノーゲンをアプロチニン溶液で溶解してフィブリ
ノーゲンを含む溶液を調製する段階を経る。(b)以後、凍結乾燥したトロンビンを安定化
溶液で溶解してトロンビンを含む溶液を調製する段階を経る。(c)そして、濃縮されたコ
ラーゲン溶液と、前記トロンビンを含む溶液を混合してコラーゲンとトロンビンを含む溶
液を調製する段階を経る。
【００４１】
引き続き、欠損した軟骨組織に、前記(a)のフィブリノーゲンを含む溶液と、前記(c)のコラーゲンとトロンビンを含む溶液をデュアルシリンジキットにより混合して最終適用する固形物を製作する前に、デュアルシリンジキットの一側には、前記(a)のフィブリノー
ゲン溶液を、そして、他側には前記(c)のコラーゲンが含有された溶液を充填する段階と
、を経て軟骨組織修復用組成物を製造する。
【００４２】
この時、本発明に適用された前記フィブリノーゲンは、３５〜５５mg/mL、アプロチニ
ン溶液は１，５００ＫＩＵ/mL、トロンビンは２９．４１ＩＵ/mL、安定化溶液は０．６５mg/mL、コラーゲン溶液は１３．２３mg/mLが含まれることを特徴とする。そして。本発明に適用された前記安定化溶液には塩化カルシウムが含まれ、好ましくは０．２６mg/mLが
含まれる。
【００４３】
また、本発明に適用された前記安定化溶液は、軟骨細胞培養に使用される培地であるＤＭＥＭ培地に塩化カルシウムを補強したものであり、前記ＤＭＥＭ培地は塩成分、アミノ酸、ビタミンが含まれる。
【００４４】
併せて、本発明に適用された前記安定化溶液の塩化カルシウムの濃度は、最終使用時に０．１〜０．５mg/mLであることを特徴とする。さらに、本発明に適用された前記軟骨組
織修復用組成物に使用される塩化カルシウムの最終濃度は、２．７８〜３．１２mg/mLで
あることを特徴とする。
【００４５】
また、本発明に適用された前記濃縮されたコラーゲン溶液は、無菌的にコラーゲンを準備するために、５mg/mL以下のコラーゲンを孔径０．２２μmフィルターを利用して、滅菌処理して無菌操作を通じてコラーゲンを濃縮した溶液であることを特徴とする。
【００４６】
最後に、本発明に適用された前記コラーゲンの濃縮度は、５〜１００mg/mL濃度である
ことを特徴とする。
【００４７】
前記した本発明に適用された安定化溶液の製造をより詳しく説明する。
【００４８】
軟骨細胞培養に使用される培地であるＤＭＥＭ培地に塩化カルシウムを補強した安定化溶液を製造する。ＤＭＥＭ培地は、塩成分、アミノ酸、ビタミンなどが含まれた成分である。安定化溶液は、塩化カルシウムを補強した溶液としては、濃度は０．２〜６mg/mLに
する。
【００４９】
安定化溶液の塩化カルシウムの濃度は、最終使用で０．１〜０．５mg/mLにする。安定
化溶液の塩化カルシウム濃度は、ゲル化時間及びゲルの最大応力の範囲により決めた。ゲル化時間は３分内で、ゲルの最大応力は１０Ｎ以上である。
【００５０】
安定化溶液の最小範囲は、軟骨細胞培養条件に使用される最小範囲であり、塩化カルシウム０．５mg/mLは安定化のために確認された最大範囲である。常用されているフィブリ
ン糊製品に使用される塩化カルシウムの最終濃度は、２．７８〜３．１２mg/mLであり、
この濃度は、細胞に影響を与える。
【００５１】
また、本発明に適用された濃縮コラーゲン製造をより詳しく説明する。
【００５２】
使用されるコラーゲンは、望ましくは、高濃度の濃縮されたコラーゲンを利用する。
無菌的にコラーゲンを準備するために、５mg/mL以下のコラーゲンを孔径０．２２μmフィ
ルターを利用して滅菌処理して無菌操作を通じてコラーゲンを濃縮する。
【００５３】
フィルターのための濃度条件は、コラーゲンが３００，０００daltonの分子量を持っているし、コラーゲン分子の長さがおよそ３００nmであるので、５mg/mL超の濃度ではフィ
ルタリングが難しい。
【００５４】
コラーゲンの濃縮度は、５〜１００mg/mL濃度範囲である。コラーゲンの濃縮度は、フ
ィルタリングが可能な５mg/mLから溶液として測定可能であり、扱うことができる(溶解及び測定可能な)濃度である１００mg/mLまで実行可能である。
【００５５】
コラーゲンを濃縮する方法は、透析（Dialysis）や透析濾過（Diafiltration）または
ｐＨと温度条件を利用して遠心分離などを使用する。濃縮されたコラーゲンは、プレフィルドシリンジに盛って準備する。
【００５６】
前記のようなコラーゲン並びにフィブリノーゲン及び安定化溶液の混合は、図１のとおりである。
【００５７】
フィブリン糊製品内に含まれた、凍結乾燥したフィブリノーゲン（ティシールパウダー）をアプロチニン溶液(２cc)に溶解してフィブリノーゲンを含む溶液（以下、「フィブリノーゲン/アプロチニン溶液」という）を調製した後、シリンジに盛っておく。凍結乾燥
したトロンビンを安定化溶液(２cc)に溶解してトロンビンを含む溶液（以下、「トロンビン/安定化溶液」という）を調製した後、０．４ccシリンジに盛っておく。濃縮されたコ
ラーゲン(３％、３cc)溶液とトロンビンを含む溶液を混合してコラーゲンとトロンビンを含む溶液（以下、「コラーゲン/トロンビン溶液」という）を調製した後、２ccシリンジ
に盛っておく。
【００５８】
調製したフィブリノーゲン/アプロチニン溶液とコラーゲン/トロンビン溶液をデュア
ルシリンジキット(Dual kit)に充填して軟骨欠損部位に適用する。
【００５９】
本軟骨組織修復用組成物に使用されるフィブリノーゲン(フィブリン糊)製品は、国家別に多様に使用されているし、国内で使用される製品は次の表１のとおりである。
【００６０】
【表１】
0005739894.tif 000002
【００６１】
また、製品名でHemassel(Canada)、Quixil(Israel)、Bolheal(Japan)、Biocol(France)、Viguard(USA)などの製品が国家別に使用可能である。
【００６２】
一方、本発明は、前記の構成部を適用するにおいて、多様に変形されることができるし、さまざまな形態を取ることができる。
【００６３】
そして、本発明は、前記の詳細な説明で言及される特別な形態に限定されるものではないものとして理解されなければならないし、むしろ添付された請求範囲によって定義される本発明の精神と範囲内にあるすべての変形物と均等物及び代替物を含むものとして理解されなければならない。
【００６４】
前記のように構成された本発明の軟骨組織修復用組成物及びその製造方法の実施例を説明する。
【００６５】
まず、本発明は、生体適合物であるコラーゲンとフィブリンなどを混合して、軟骨組織を移植可能な形態で組織修復をはかって、再生を効果的に誘導することで、人間や動物に手術に伴う負担を軽減しながらより早くて効果的に軟骨修復及び再生を誘導できるようにしたものであり、以下で実施例を挙げて説明する。
【実施例１】
【００６６】
コラーゲン及びフィブリン糊製品を利用して動物の軟骨欠損部位に適用する方法
(目的:豚の軟骨欠損部位にコラーゲンとフィブリン糊製品の適用可能性の確認)
【００６７】
豚足を据え置き台に固定した後、ドリルを利用しておよそ３cm2(２×１．５cm2)の軟骨を欠損させる。
【００６８】
製品名セラフィール(濃縮コラーゲン)と製品名グリーンプラスト(フィブリン糊)製品を利用して、軟骨欠損部位を満たす。方法は次のとおりである。
【００６９】
１)グリーンプラストを封切りして、フィブリノーゲンをアプロチニン溶液に入れ込ん
で溶解してフィブリノーゲン/アプロチニン溶液を調製する。
２)構成品のうち、凍結乾燥しているトロンビンを安定化溶液に入れ込んで溶解してト
ロンビン/安定化溶液を調製する。
３)溶解されたトロンビン/安定化溶液０．１ccをセラフィール(濃縮コラーゲン溶液)１ccとアダプダを利用して混合してコラーゲン/トロンビン溶液を調製する。
４)前記１)の溶液と３)の溶液をそれぞれ、デュアルシリンジキットに充填して軟骨欠
損部位に適用する。
５)適用後、１５分間観察する。
【００７０】
結果:軟骨欠損部位にセラフィール(濃縮コラーゲン)/フィブリン糊製品を適用した後、１０分内に固形物が満たされて手術者が好む程度の物性を見せた。図３参照。
【実施例２】
【００７１】
コラーゲンとフィブリン糊を兎の軟骨欠損部位に適用した実験
(目的:コラーゲンとフィブリン糊製品を使って兎モデルを利用して軟骨再生可否を確認する。)
【００７２】
ＮＺＷ兎の膝蓋溝（patellar groove）部位に４mmの軟骨欠損を誘発して、コラーゲン
とフィブリン糊を適用して、４週後に肉眼及び組織病理観察(図４と図５)した。コラーゲンは、韓国のセウォンセロンテックの製品名セラフィールを使ったし、フィブリン糊製品は、バクスター社の製品名ティシールを使った。
【００７３】
組織病理は、エマトキシリンエオジン（Hematoxylin-eosin）、サフラニン−Ｏ（Safranin-O）、アルシアンブルー（Alcian-blue）、マッソントリクローム（Masson's trichrome）、コラーゲンタイプI/II（Colllagen typeI/II）などの染色方法を使った。
【００７４】
結果:軟骨欠損部位にコラーゲン/フィブリン糊製品を適用した肉眼観察結果、欠損部
位組織が修復されたことを確認することができたし、組織染色結果、軟骨組織が再生されていることを確認することができた。
【００７５】
さらに、以下に、最終適用する固形物の物性測定、物性/分解性確認実験、組成物内で
の軟骨細胞の細胞生存率実験のそれぞれの結果を説明する。
本発明の製造方法において、安定化溶液の塩化カルシウム濃度による最終適用する固形物の物性比較は次のとおりである。
イ．安定化溶液の塩化カルシウムの濃度によるゲル化時間及び物性測定
１)塩化カルシウムの濃度
【００７６】
【表２】
0005739894.tif 000003
【００７７】
２）適用方法
コラーゲン(３％、３cc)溶液とフィブリン糊(グリーンプラスト)製品を準備する。
（ａ）グリーンプラストに含まれたフィブリノーゲンとアプロチニン(１cc)を混合してフィブリノーゲン/アプロチニン溶液を調製する。
（ｂ）トロンビンと安定化溶液(１cc)を混合してトロンビン/安定化溶液を調製する。
（ｃ）コラーゲン溶液(３cc)と、トロンビン/安定化溶液(０．４cc)を混合してコラーゲ
ン/トロンビン溶液を調製する。
（ｄ）フィブリノーゲン/アプロチニン溶液とコラーゲン/トロンビン溶液をそれぞれ１ccずつデュアルシリンジキットに充填して、円錐模様(Φ１２×１５mm)の鋳型に盛って固形物を製作する。
【００７８】
３)塩化カルシウム濃度/時間によるゲル化程度
【００７９】
【表３】
0005739894.tif 000004
*:液相を含む
**:ゲル化進行中
***:ゲル化完了
【００８０】
４)塩化カルシウム濃度による物性測定
製作された固形物は、レオメータ(Rheo meter、ＣＲ-５００ＤＸ)を利用して物性測定
する。条件は次のとおりである。
測定項目:最大応力、ゲル強度、引張強度
進入距離:サンプル高さの５０％、７．５mm
スピード:５０mm/min、最大応力:１０kg
アダプタ:Ｎｏ．１、 Φ２０mm
【００８１】
【表４】
0005739894.tif 000005
【００８２】
次は、軟骨欠損部位にコラーゲン並びにフィブリン糊及び安定化溶液を混合する方法及び物性/分解性確認実験(目的:軟骨は一度損傷すれば栄養供給が遮られる状態である。軟
骨細胞培養に使用されるＤＭＥＭ成分を添加して、軟骨修復の手助けになって、コラーゲンが含まれた製品は、長年の間に形態を維持させてくれる)である。
【００８３】
１)軟骨細胞培養に使用される培地であるＤＭＥＭ培地に塩化カルシウムを補強した安
定化溶液を製造する。ＤＭＥＭ培地は、塩成分、アミノ酸、ビタミンなどが含まれた成分である。安定化溶液は塩化カルシウムを補強した溶液であり、濃度は０．２〜６mg/mLに
する。
【００８４】
２)コラーゲンと安定化溶液の塩化カルシウムの濃度は、最終使用で０．１〜０．５mg/mLにする。
【００８５】
３)本実験は次のように実行された。
コラーゲン(３％、３cc)溶液とフィブリン糊(グリーンプラスト)製品を準備する。
（ａ）グリーンプラストに含まれたフィブリノーゲンとアプロチニン(１cc)を混合してフィブリノーゲン/アプロチニン溶液を調製する。
（ｂ）トロンビンと安定化溶液(１cc)を混合してトロンビン/安定化溶液を調製する。
（ｃ）コラーゲン溶液(３cc)とトロンビン/安定化溶液(０．４cc)を混合してコラーゲン/トロンビン溶液を調製する。
コラーゲンが含まれないフィブリン糊製品を対照群として使った。
（ｄ）フィブリノーゲン/アプロチニン溶液とコラーゲン/トロンビン溶液を、それぞれ１ccずつデュアルシリンジキットに充填して、円錐模様(Φ１２×１５mm)の鋳型に盛って固形物を製作する。塩化カルシウムの最終濃度は０．２６mg/mLである。
【００８６】
４)物性測定実験
製作された固形物は、レオメータ(Rheo meter、ＣＲ-５００ＤＸ)を利用して物性測定
する。条件は次のとおりである。
測定項目:最大応力、ゲル強度、引張強度
進入距離:サンプル高さの５０％、７．５mm
スピード:５０mm/min、最大応力:１０kg
アダプタ:Ｎｏ．１、Φ２０mm
【００８７】
結果は、図６に示すとおりである。製作されたコラーゲンが含まれた固形物（左；本発明技術）は、不透明の軟骨と類似な色をたたえているし、フィブリン糊製品（右；従来技術）は半透明な固形物が作られた。
【００８８】
５)分解性確認実験
製作された固形物を培地(ＤＭＥＭ)に含ませて、３７℃条件で１ヶ月間観察する。培地交換は１〜２日単位で実行する。コラーゲンが含まれないフィブリン糊は、２〜３週間内に分解されるが、コラーゲンが含まれた固形物は、１月以上維持されることを確認することができた。
【００８９】
次は、コラーゲン/フィブリノーゲン組成物での軟骨細胞の細胞生存率実験(図７参照)
である。
【００９０】
イ．軟骨細胞が含まれたコラーゲン/フィブリノーゲン組成物の製造
１)フィブリン糊製品(ティシール)を封切りしてフィブリノーゲンをアプロチニン溶液(２cc)で溶解してフィブリノーゲン/アプロチニン溶液を調製する。
２)構成品のうちで、凍結乾燥しているトロンビンを安定化溶液で溶解してトロンビン/安定化溶液を調製する。
３)溶解されたトロンビン/安定化溶液(０．４cc)をコラーゲン(セラフィール、３cc)とアダプダを利用して混合してコラーゲン/トロンビン溶液を調製する。
４)混合したコラーゲン/トロンビン/安定化溶液をシリンジに１．５cc盛って、次いで
軟骨細胞、０．５cc(６．０×１０6cells/０．５cc)と混合する。塩化カルシウムの最終
濃度は０．２４mg/mLである。
５)前記１)の溶液と４)の溶液をデュアルシリンジキットに充填して１００mm培養皿に
盛る。
【００９１】
ロ．組成物内で軟骨細胞の生存率確認実験
１)形成されたゲルは、Bladeで控え目に引き離して３５mm培養皿で移して、ＤＭＥＭ培地３mLを含ませて、３７℃の温度条件でＣＯ2培養を実行する。
２)培地は１日２回培地交換を実行して、３日間培養する。培地組成はＤＭＥＭ/Ｆ１２、１％ゲンタマイシン（gentamycin）、５mg/mＬ ＩＴＳ+プレミックス（ＩＴＳ+Premix
）、５０μg/mL アスコルビン酸（ascorbic acid）、１mM ピルビン酸ナトリウム（sodium pyruvate）、１００ng/mL BMP-２である。
３)分析方法はカルセインAM(Calcein-AM)法を使った。
【００９２】
カルセインAM分析
方法:生/死細胞生存率希釈標準溶液（Live/Dead cell viability working solution）
を製造する。組成は、１０mL リン酸緩衝生理食塩水（PBS）、５μL ４mM カルセインAM （calcein-AM）、２０μL ２mM エチジウムホモダイマー−１（EthD-１）を混合する。
【００９３】
培養中の組成物から培地をとり除いて、３mL生/死細胞生存率希釈標準溶液（Live/Dead
cell viability working solution）を添加して、１時間の間に常温で培養した後、硝子スライドに移して蛍光顕微鏡で観察する。生きている細胞は緑色を、死んだ細胞は赤い光で染色されているのを見て確認する。
【００９４】
結果:イ．カルセインAM（ Calcein-AM）分析方法を通じた軟骨細胞の生存率の蛍光顕微鏡写真(左:最初(４０×)、右:３日培養(４０×))を図７に示す。組成物内で７２時間後、観察した結果、９０％が生存していることが確認される。
【産業上の利用可能性】
【００９５】
以上説明したように、本発明の軟骨組織修復用組成物及びその製造方法の技術的思想は、実際に同一結果を繰り返し実施可能なものであり、特に、このような本願発明を実施することで、技術発展を促進して産業発展に貢献することができて、保護する価値が充分にある。
【図１】
0005739894.tif 000006
【図２】
0005739894.tif 000007
【図３】
0005739894.tif 000008
【図４】
0005739894.tif 000009
【図５】
0005739894.tif 000010
【図６】
0005739894.tif 000011
【図７】
0005739894.tif 000012